(57)【要約】  本発明は、１本の若しくは別のガイドワイヤ（５０）の受けのための最低１個の補正穴（７、８、９、１０、１２）が装備されている位置決めフックがガイドチューブ（２）の遠位端に配置される、転子（４１）および／若しくは内側筋（４５）上への設置のための遠位端ならびにガイドワイヤ（５０）の挿入のための近位端を伴う湾曲したガイドチューブ（２）を伴い、ガイドチューブ（２）とハンドル（５）との間の接続のための保持アーム（４）を伴う、大腿骨中へのガイドワイヤ（５０）の挿入のための湾曲した位置決めおよび導入機器に関する。該構造を用いて、参照として置かれたガイドワイヤ（５０）に基づき、さらなるあるいは付加的なガイドワイヤ（５０）を使用することに容易に成功する。
2007501670.tif 000002
【特許請求の範囲】
【請求項１】
１本の若しくは別のガイドワイヤ（５０）の受領のための最低１個の補正穴（７、８、９、１０、１２）が装備されている位置決めフック（３）がガイドチューブ（２）の遠位端に配置されることを特徴とする、転子（４１）および／若しくは内側筋（４５）上への設置のための遠位端ならびにガイドワイヤ（５０）の挿入のための近位端を伴い、湾曲したガイドチューブ（２）とハンドル（５）の間の接続のための保持アーム（４）を伴う、該ガイドチューブ（２）をもつ大腿骨（４０）中へのガイドワイヤ（５０）の挿入のための湾曲した位置決めおよび導入機器。
【請求項２】
位置決めフック（３）が、とりわけガイドチューブ（２）の周囲を取り巻く同心円上に装備されている最低４個、とりわけ８個の補正穴（７、８、９、１０、１２）を示すことを特徴とする、請求項１に記載の機器。
【請求項３】
位置決めフック（３）が、１個若しくは別のガイドワイヤ（５０）の受領のための最低１個のガイド穴（６）装備されることを特徴とする、先行する請求項の１つに記載の機器。
【請求項４】
位置決めフック（３）の形態がノーズ形であり、かつ、大腿骨（４０）への切開ガイドワイヤ（５０ｂ）の挿入のための最適位置への転子４１上の設置に際してそれが横たわるように選択されることを特徴とする、先行する請求項の１つに記載の機器。
【請求項５】
ガイドチューブ（２）が、ガイド穴（６）もまた同様に、参照ガイドワイヤ（５０ａ）も切開ガイドワイヤ（５０ｂ）も保持し得るように設計されることを特徴とする、先行する請求項の１つに記載の機器。
【請求項６】
位置決めフックが、第二の若しくはさらなる切開ガイドワイヤ（５０ｂ１）を一定の間隔で大腿骨（４０）中の第一の切開ガイドワイヤ（５０ｂ）に打ち込み得る若しくは穿孔し得るために、最低１個の前方／後方（７）および／若しくは１個の内側（８）および／若しくは１個の後方／前方（９）および／若しくは１個の側方の補正穴（１０）を利用できることを特徴とする、先行する請求項の１つに記載の機器。
【請求項７】
ハンドル（５）が、導入位置で正面の大腿骨軸（４４）に本質的に平行に整列されることを特徴とする、先行する請求項の１つに記載の機器。
【請求項８】
位置決めフック（３）がガイドチューブ（２）としっかりと接続されていることを特徴とする、先行する請求項の１つに記載の機器。
【請求項９】
ガイド穴（６）が、その遠位端の領域でガイドチューブ（２）の軸に接線方向で６°〜３０°、とりわけ７°〜２０°、具体的には約８°の角度（４２）で広がることを特徴とする、先行する請求項の１つに記載の機器。
【請求項１０】
補正穴（７）がガイドチューブ（２）の軸に対しある角度で広がることを特徴とする、先行する請求項の１つに記載の機器。
【請求項１１】
位置決めフック（３）が、転子（４１）の上の始点に対する特別の滑り止め設計を示すことを特徴とする、先行する請求項の１つに記載の機器。
【請求項１２】
位置決めフック（３）が、該位置決めフックを筋線維中で軟部を保存して保持しうる、面取りされかつ幅が狭く造形されたノーズ（１１）を示すことを特徴とする、先行する請求項の１つに記載の機器。
【請求項１３】
ガイドチューブ（２）が参照ガイドワイヤ（５０ａ）を負荷され、位置決めおよび導入機器（１）のハンドル（５）がその後大腿骨軸（４４）にほぼ平行にかつ大腿骨（４０）の髄質内の管の伸長の上に整列され、位置決めフック（３）が転子（４１）の上に配置されかつそれに際してノーズ（１１）で内側筋４５中に押され、その際に、参照ガイドワイヤ（５０ａ）が大腿骨軸（４４）に平行にかつ可能な限り転子（４１）中の髄質内の管の中心に導入され、その後位置決めおよび導入機器（１）が除去され、位置決めおよび導入機器（１）のガイドチューブ（２）に切開ガイドワイヤ（５０ｂ）が負荷され、そしてガイド穴が参照ガイドワイヤ（５０ａ）の上の位置決めフック（３）中に導かれかつそれとともに新たに転子（４１）の上に配置され、それに際して該位置決めおよび導入機器（１）が切開ガイドワイヤ（５０ｂ）に正しい角度を与えるために相応して整列すること、ならびに、切開ガイドワイヤ（５０ｂ）が今やしかしながら最適に位置決めされない場合に、該位置決めおよび導入機器（１）の助けを借りて補正が実施され、その際にそれがその後、１個のその補正穴を用いて参照若しくは切開ガイドワイヤ（５０ｂ）の上に移動され、かつ、さらなる既に前もって負荷された切開ガイドワイヤ（５０ｂ１）が転子（４１）あるいは大腿骨（４０）中の新たな位置に導入されることを特徴とする、先行する請求項の１つに記載の機器を用いる大腿骨（４０）の髄質内の管中での切開ガイドワイヤ（５０ｂ）の位置決め方法。
【請求項１４】
切開ガイドワイヤ（５０ｂ）が、その導入場所で参照ガイドワイヤ（５０ａ）に対し６°〜３０°、とりわけ７°〜２０°、具体的には約８°の角度で存在することを特徴とする、請求項１０に記載の方法。
【請求項１５】
位置決めおよび導入機器（１）のガイドチューブ（２）に切開ガイドワイヤ（５０ｂ）が負荷され、位置決めフック（３）が転子（４１）の上に配置されかつそれに際してノーズ（１１）で内側筋４５中に押され、その際に該位置決めおよび導入機器（１）が切開ガイドワイヤ（５０ｂ）に正しい位置および正しい角度を与えるためにその位置決めフック（３）の配置の形状に相応して整列すること、ならびに、切開ガイドワイヤ（５０ｂ）が今やしかしながら最適に位置決めされない場合に、該位置決めおよび導入機器（１）の助けを借りて補正が実施され、その際にそれがその後、１個のその補正穴を用いて切開ガイドワイヤ（５０ｂ）の上に移動され、かつ、さらなる既に前もって負荷された切開ガイドワイヤ（５０ｂ１）が転子（４１）あるいは大腿骨（４０）中の新たな位置に導入されることを特徴とする、先行する請求項の１つに記載の機器を用いる大腿骨（４０）の髄質内の管中での切開ガイドワイヤ（５０ｂ）の位置決め方法。
【請求項１６】
いくつかの異なる状態の位置決めフック（３）が見込まれ、それらから、転子および軟部の状態に応じて適合された機器が選択可能であることを特徴とする、請求項１３〜１５の１つに記載の方法のための請求項１〜１２の１つに記載の機器の組。
【請求項１７】
ガイドチューブが約３００ないし８００ｍｍ、とりわけ５００ないし７００ｍｍ、具体的には約６００ｍｍの半径で湾曲していることを特徴とする、先行する請求項の１つに記載の機器。
【発明の詳細な説明】
【技術分野】
【０００１】
本発明は、正確な骨切開のための大腿骨中へのガイドワイヤの取付のための湾曲した位置決めおよび導入機器に関する。
【背景技術】
【０００２】
正確な骨切開は、それ自体で外科医を穿孔機あるいは切断機を用いて導くことができる位置および正確さの信頼できる参照を条件とする。この目的上、穿孔機を確実に導くために、穿孔の前に大腿骨に導入され（ねじ込まれ若しくは打ち込まれ）るガイドワイヤが利用されることが既知である。
【０００３】
特許文献１は、転子の設置のための遠位端およびガイドワイヤの挿入のための近位端を伴い、ガイドチューブとハンドルの間の接続のための保持アームを伴う、湾曲したガイドワイヤを用いる大腿骨中へのガイドワイヤの取付のためのこうした湾曲した位置決めおよび導入機器を記述する。該構造は、湾曲した湾曲に沿ったガイドワイヤの導入がヒトの大腿骨の解剖学的構造に関して有利であるため、また、関係する領域の線維が手術に際してわずかに損なわれうるゆえに、従って選択される。
【０００４】
特許文献１は、従って、湾曲したガイドワイヤのための湾曲したガイドチューブから構成されるキー（Ｓｃｈｌｕｓｓｅｌ）要素をもつ機器構造を記述する。該ガイドワイヤは骨中に導入され、そして中空のかつ可撓性の穿孔機のための誘導路として使われる。該ガイドワイヤは位置決めおよび導入機器の助けを借りて据付られ、それに際して、湾曲したガイドチューブが、運搬部分を用いて外科医のために良好に保持され得るグリップの上にもたらされる。ガイドチューブの正確な位置決めはＸ線若しくは直視により実施される。位置決め後に、ガイドワイヤは、骨の長軸に沿ってハンマーで打ち込まれるか、若しくは別の方法で打ち込まれる。その後、導入機器が除去され、そして可撓性の穿孔機あるいは切断機がガイドワイヤの上に導かれる。実施される穿孔の後に全部が除去される。
【０００５】
該解決策の弱点は、しかしながら、それ自身がいかなる特定の補正の可能性も提供せず、Ｘ線写真上に現れない場合にはガイドワイヤが最適の場所に来ないことに反映される。
【０００６】
完全に異なる一構造において、例えば特許文献２により、ガイドワイヤの補正の設定の可能性を自由に使うことができうる導入機器が全く同じように与えられた。該構造は、けれども、回転する円筒形のアセンブリがそれぞれいくつかの穴をもついくつかの円板から持ち上げられるかさ高いジャケットから構成され、それは、高価な製造方法において同心円状に相互に整列されなければならず、かつ、その上湾曲した湾曲に沿ってガイドワイヤが大腿骨中に打ち込まれる可能性を提供しない。その限りでは、該構造は、種類に応じた構造に対する改良を提供しない。
【０００７】
本発明は、今や、該課題に基づき、単純な器具を用いて関係する領域中の線維が可能な限りわずかに損なわれるはずである補正の設定を可能にする。該理由から、当業者は、既に上述されたとおり、特許文献２を、存在する課題の解決のための従来技術として全く引用しないであろう。１９９８年に公開された特許文献３が既に１９９７年に公開された特許文献４のさらなる発展である一方、特許文献２は特許文献３と同一年に公開されかつ従ってガイドワイヤの設定のための別の経路を平行にたどったこともまた理解可能である。
【０００８】
従来技術についてのさらなる、けれどもわずかに関連する文書は、特許文献５、特許文献６、特許文献７、特許文献８、特許文献９、特許文献１０である。
【０００９】
【特許文献１】米国特許第６０７４３９２号明細書
【特許文献２】米国特許第５９５１５６１号明細書
【特許文献３】米国特許第６０７４３９２号明細書
【特許文献４】米国特許第５６２４４４７号明細書
【特許文献５】米国特許第４４６６４２９号明細書
【特許文献６】米国特許第３４３９６７１号明細書
【特許文献７】米国特許第５１３５５２７号明細書
【特許文献８】米国特許第５１１２３３６号明細書
【特許文献９】米国特許第４７１２５４１号明細書
【特許文献１０】米国特許第６２７３８９２号明細書
【発明の開示】
【００１０】
発明者は、今や、該課題の解決のために、保持アームによって湾曲したガイドチューブ上に配置されるハンドルを包含する、新たな位置決めおよび導入機器を具体的に説明する。その端に、ガイドチューブに関して６°〜３０°、とりわけ７°〜２０°、具体的には約８°の角度で使用されるガイド穴を必要な場合は伴う位置決めフックが存在する。該穴と並んで、改良されたさらなる発展に応じて多様な補正穴が存在する。さらに、本発明の機器の適用に際してＴグリップが必要とされる。本発明で、従って、より迅速に切開穿孔機を導く最低１本のガイドワイヤを使用し得る。Ｔグリップまたは電動の穿孔若しくは衝撃駆動装置の代わりに、ガイドワイヤがハンマーで打ち込まれ得るように衝撃ヘッドもまた見込み得る。
【００１１】
特定の応用に際して、本発明により、最初に、必要な場合は参照ガイドワイヤを伴うガイドチューブを負荷する。該位置決めおよび導入機器のハンドルをその後、目測に従って、大腿骨の長軸にほぼ平行にかつその髄質内の管の伸長の上に整列する。位置決めフックを転子の上に配置し、そしてフックのノーズが圧により筋肉の中央（中臀筋）中の方向に押され、その際に参照ガイドワイヤが大腿骨の長軸に平行に導入される。該機器を除去する。その後、該位置決めおよび導入機器のガイドチューブに切開ガイドワイヤを負荷し、そして、適用方法に応じて、位置決めフック中のガイド穴を参照ガイドワイヤの上方に移動し、そして従って新たに転子の上に配置する。位置決めフック中のガイド穴は約８°が使用されるため、該位置決めおよび導入機器は、切開ガイドワイヤに正しい角度を与えるように相応して整列する。目の一定の角度が誤って平行と見積もられるために、該手順を実施する。今や、しかしながら既に参照ガイドワイヤが偶然一回で適合されうる場合には、それは切開ガイドワイヤとしてもまた利用される。通常、けれども、第二の切開ガイドワイヤが置かれなければならないことが予期される。
【００１２】
ガイド穴を伴わない一連の形態の変形は、参照ガイドワイヤの導入を断念し、そしてその位置決めフックの解剖学的状況に適応された特定の状態による正しい場所および角度への位置決めおよび導入機器の配置を保証する。該フックの形態は、従って、該フックが、切開ガイドワイヤの挿入のための最適位置での適用の大多数での内側筋中での軽い圧迫および転子上への設置に際して横になるように選択される。ノーズは、従って、それが内側筋中で軟部を保存して押され得るように造形され得る。その厚さは約０．５〜１０ｍｍ、とりわけ約１〜５ｍｍおよび具体的には約２．５ｍｍを伴ってある。ガイドチューブの中心と位置決めフックのノーズの尖端との間の長さは、軟部の状況に相応して約１０〜３０ｍｍ、とりわけ約１５〜２５ｍｍの間で変動し得、そして具体的には約２０ｍｍになる。補正穴は約１〜５ｍｍ、とりわけ約１．８〜３．６、および具体的には約３．３ｍｍの直径を有する。ガイドチューブのための受けは約３〜２０ｍｍ、とりわけ約６〜１０ｍｍ、および具体的には約８ｍｍである。
【００１３】
切開ガイドワイヤもまた転子中に導入する場合に、それは、正面で導入場所の上で、だいたい、参照ガイドワイヤに対し約８°の最適な角度にある。Ｘ線写真は今や、切開を実施するために切開ガイドワイヤが正しい位置にあるかどうかを示し得る。それが今やしかしながら例えば側方皮質に近すぎる場合は、それゆえに位置決めおよび導入機器の助けを借りた本発明の補正の可能性が存在する。それをその後、その補正穴を用いて参照若しくは切開ガイドワイヤの上に移動し、そして、さらなるその前に既に負荷された切開ガイドワイヤを転子中の新たな位置に導入する。正しく位置決めされなかった古い切開ガイドワイヤをその後除去し得る。必要な場合は、こうした補正処置は、既に、唯一の置かれた参照ガイドワイヤに基づき、該ガイド穴の代わりに参照ガイドワイヤの上に補正穴を等しく移動させることにより満足され得る。
【００１４】
本発明のさらなる設計は図および付属の請求の範囲に示される。請求項１０は、新たな、従来技術に比較して改良された切開ガイドワイヤの設置方法を示す。参照番号の一覧は該開示の不可欠の部分である。
【発明を実施するための最良の形態】
【００１５】
図１は、本発明の機器の適用に際して通常必要とされる単一構成部品を描く。位置決めおよび導入機器１は、その遠位端上に１個の位置決めフック３が配置されている１個の湾曲したガイドチューブ２から構成される。ガイドチューブ２の湾曲は、約３００ないし約８００ｍｍ、とりわけ５００ないし７００ｍｍ、具体的には約６００ｍｍの半径を描く。位置決めフック３は、それが大転子の尖端および内側筋の上で保持を見出すように設計される。ガイドチューブ２の近位端の領域において、保持アーム４はそれに対しほぼ垂直にもたらされ、それ自身その場合はガイドチューブ２にほぼ平行に走らせるために湾曲される。保持アーム４の端にはハンドル５が存在し、その長軸は位置決めフック３の領域でガイドチューブ２の接線にほぼ平行である。さらに、図１は、ガイドチューブ２中に導入されかつそれに応じて参照ガイドワイヤ５０ａもしくは切開ガイドワイヤ５０ｂとして利用され得る状態にある２本のガイドワイヤ５０を描く。その上、ガイドワイヤ５０の上に導かれならびにＴグリップ３０から起動され得るように設計されている中空の切開穿孔機２０が描かれる。最後に、図１は、ガイドワイヤ５０にも切開穿孔機２０にもまた適合する、梃子３２および穿孔機掴みを伴うたった今言及されたＴグリップ３０を示す。Ｔグリップに対する代替は、もちろん、モーターで駆動される穿孔若しくは打ち込み起動もまた可能である。
【００１６】
図２は、ガイドチューブ２中に負荷されたガイドワイヤ５０を伴う位置決めおよび導入機器１を描く。ガイドワイヤ５０は、位置決めおよび導入機器１の近位若しくは遠位端に導入され得、それはガイドワイヤ５０の少なくとも一時的な湾曲に至る。
【００１７】
図３ａおよび図３ｂは、ノーズ１１においてガイドチューブ２およびその中央の穴に関して約８°の角度で使用されるガイド穴６を伴う位置決めおよび導入機器１の位置決めフック３を描く。該穴に並んで、多様な補正穴、具体的には１個の前方／後方補正穴７、１個の内側補正穴８、１個の後方／前方補正穴９および１個の側方補正穴１０が存在する。
【００１８】
図４は、大腿骨４０の転子４１上に配置されるガイドチューブ２中に負荷されたガイドワイヤ５０を伴う位置決めおよび導入機器を描く。位置決めフック３の状態は、転子４１の表面上および内側筋４５中での明瞭な滑り止めの位置決めを保証する。位置決めおよび導入機器１のハンドル５は、大腿骨４０の長軸に平行かつその髄質内の管の伸長に平行に整列される。Ｔグリップ３０は、それがガイドワイヤ５０を導入することができるような場所に示される。
【００１９】
図５は、そのガイド穴６にほぼ沿って既に大腿骨４０の転子４１中に導入された参照ガイドワイヤ５０ａの上に移動される位置決めおよび導入機器１を描く。位置決めおよび導入機器１あるいはそのガイドチューブ２が切開ガイドワイヤ５０ｂを負荷される。
【００２０】
図６は、ガイド穴６を通って、既に大腿骨４０の転子４１中に既に導入された参照ガイドワイヤ５０ａの上をずっと移動される位置決めおよび導入機器１を描く。位置決めおよび導入機器１は、既に負荷された切開ガイドワイヤ５０ｂが導入されるために、ガイド穴６中の正面で約８°の角度に相応して正しく位置決めされる。Ｔグリップ３０は、それが切開ガイドワイヤ５０ｂを導入することができるような場所に示される。
【００２１】
図７は、導入された切開ガイドワイヤ５０ｂの上にそれが移動されるような切開穿孔機２０を描く。Ｔグリップ３０は、それが大腿骨４０の転子４１中に切開穿孔機２０をすることができるような場所に示される。
【００２２】
図８は、位置決めおよび導入機器１の位置決めフック３およびガイドチューブ２中に負荷されかつ大腿骨４０の転子中に導入されたガイドワイヤ５０を示すＸ線写真を描く。転子４１の表面の上の位置決めフック３の状態により明瞭な位置決めを認識可能である。ガイドワイヤ５０は大腿骨４０の長軸に平行でありかつその髄質内の管中に導入される。
【００２３】
図９は、既に大腿骨４０の転子中に導入された参照ガイドワイヤ５０ａの上のそのガイド穴６の上に移動される位置決めおよび導入機器１の位置決めフック３を示すＸ線写真を描く。位置決めおよび導入機器１は、既に負荷された切開ガイドワイヤ５０ｂを導入するために、ガイド穴６の正面で約８°の相応する角度を最適に正しく位置決めされる。
【００２４】
図１０は、大腿骨４０の転子４１中に導入された参照ガイドワイヤ５０ａおよび切開ガイドワイヤ５０ｂを示すＸ線写真を描く。参照ガイドワイヤ５０ａと切開ガイドワイヤ５０ｂの間の約８°の標的とされる導入角度４２が良好に認識可能である。
【００２５】
図１１は、参照ガイドワイヤ５０ａの除去後に必要な場合は残される切開ガイドワイヤ５０ｂを示すＸ線写真を描く。切開ガイドワイヤ５０ｂは、この例においては、切開を実施するために側方皮質近くに置き、そして補正されなければならない。
【００２６】
図１２は、切開ガイドワイヤ５０ｂの補正を示すＸ線写真を描く。第二の切開ガイドワイヤ５０ｂがガイドワイヤ５０ｂに平行に転子４１中に導入される。
【００２７】
図１３は、第一の切開ガイドワイヤ５０ｂの除去後の補正された切開ガイドワイヤ５０ｂを示すＸ線写真を描く。それは今や、切開穿孔機２０を用いる切開を実施するために最適に横たわる。
【００２８】
図１４は、大腿骨４０の転子４１の実施された切開４３を示すＸ線写真を描く。
【００２９】
図１５ａおよび図１５ｂは、多様な補正穴、具体的には１個の前方／後方補正穴７、１個の内側補正穴８、１個の後方／前方補正穴９および１個の側方補正穴１０を伴う、ガイド穴を表さない位置決めおよび導入機器１の位置決めフック３を描く。図３ａおよび図３ｂに描かれる変形物と同様に、ノーズ１１がそれに対し顕著により細い。
【００３０】
図１６ａおよび図１６ｂは、多様な補正穴、具体的には１個の前方／後方補正穴７、１個の内側補正穴８、１個の後方／前方補正穴９および１個の側方補正穴１０を伴う、ガイド穴を表さない位置決めおよび導入機器１の位置決めフック３を描く。図１５ａおよび図１５ｂに描かれる変形物と同様に、ノーズ１１はややより鋭角で終端しかつより長い。
【００３１】
図１７ａおよび図１７ｂは、多様な補正穴、具体的には１個の前方／後方補正穴７、１個の内側補正穴８、１個の後方／前方補正穴９および１個の側方補正穴１０を伴う、ガイド穴を表さない位置決めおよび導入機器１の位置決めフック３を描く。該変形物は、それら自身、図１５ａおよび図１５ｂ、図１６ａおよび図１６ｂに描かれる変形物と同様に、より少ない断面積により本質的に異なる。補正穴は外輪郭により閉じられる。
【００３２】
図１８ａおよび図１８ｂは、多様な補正穴、とりわけ１個の前方／後方補正穴７、１個の内側補正穴８、１個の後方／前方補正穴９および１個の側方補正穴１０を伴う、ガイド穴を表さない位置決めおよび導入機器１の位置決めフック３を描く。図１７ａおよび図１７ｂに描かれる変形物と同様に、ノーズはややより鋭角に終端しかつより長い。該変形物は、それら自身、図１５ａおよび図１５ｂ、図１６ａおよび図１６ｂに描かれる変形物と同様に、より少ない断面積により本質的に異なる。補正穴は外輪郭により閉じられる。
【００３３】
図１９ａおよび図１９ｂは、多様な補正穴、とりわけ１個の前方／後方補正穴７、１個の内側補正穴８、１個の後方／前方補正穴９、１個の側方補正穴１０および４個の補助的補正穴を伴う、ガイド穴を表さない位置決めおよび導入機器１の位置決めフック３を描く。
【図面の簡単な説明】
【００３４】
図面に基づき、本発明は記号でおよび例示でより詳細に具体的に説明される。
該図面は相互に関連してかつ包括的に記述される。等しい参照番号は等しいアセンブリを意味し、異なる指数を伴う参照番号は機能上同等な若しくは類似のアセンブリを示す。
その際、それは以下を図解で示す。
【図１】Ｔグリップ、ガイドワイヤおよび切開穿孔機を伴う位置決めおよび導入機器である。
【図２】負荷されたガイドワイヤを伴う位置決めおよび導入機器である。
【図３ａ】正面あるいは前方／後方面での、そのガイドおよび補正穴ならびに内側筋中での保持のためのノーズを伴う位置決めおよび導入機器の位置決めフックである。
【図３ｂ】図３ａの面Ａでの、そのガイドおよび補正穴ならびに内側筋中での保持のためのノーズを伴う位置決めおよび導入機器の位置決めフックである。
【図４】正面あるいは前方／後方面での、穿孔準備中のガイドワイヤおよびＴグリップを伴う、転子上に配置された位置決めおよび導入機器である。
【図５】負荷された切開ガイドワイヤを伴いかつ参照ガイドワイヤの上に移動された位置決めおよび導入機器である。
【図６】穿孔準備中のＴグリップを伴う、負荷された切開ガイドワイヤを伴い、参照ガイドワイヤの上に導かれかつ転子上に新たに配置された位置決めおよび導入機器である。
【図７】穿孔準備中の、切開ガイドワイヤ上に移動された切開穿孔機およびＴグリップである。
【図８】導入されたガイドワイヤを伴う大腿骨のＸ線写真である。
【図９】導入された参照ガイドワイヤおよび導入される切開ガイドワイヤを伴う大腿骨のＸ線写真である。
【図１０】導入された参照ガイドワイヤおよび導入された切開ガイドワイヤを伴う大腿骨のＸ線写真である。
【図１１】導入された切開ガイドワイヤを伴いかつ参照ガイドワイヤを伴わないか、若しくは必要な場合に除去される参照ガイドワイヤを伴う大腿骨のＸ線写真である。
【図１２】補正のための、最適に位置決めされていない第一の切開ガイドワイヤおよび第二の切開ガイドワイヤを伴う大腿骨のＸ線写真である。
【図１３】正しく置かれた切開ガイドワイヤを伴う大腿骨のＸ線写真である。
【図１４】切開孔を伴う大腿骨のＸ線写真である。
【図１５ａ】正面あるいは前方／後方面での、ガイド穴を伴わずかつその補正穴および内側筋中での保持のためのノーズを伴う位置決めおよび導入機器の位置決めフックである。
【図１５ｂ】図１５ａの面Ａでの、ガイド穴を伴わずかつその補正穴および内側筋中での保持のためのノーズを伴う、位置決めおよび導入機器の位置決めフックである。
【図１６ａ】正面あるいは前方／後方面での、ガイド穴を伴わずかつその補正穴および内側筋中での保持のためのノーズを伴う、位置決めおよび導入機器の位置決めフックである。
【図１６ｂ】図１６ａの面Ａでの、ガイド穴を伴わずかつその補正穴および内側筋中での保持のためのノーズを伴う位置決めおよび導入機器の位置決めフックである。
【図１７ａ】正面あるいは前方／後方面での、ガイド穴を伴わずかつその補正穴および内側筋中での保持のためのノーズを伴う位置決めおよび導入機器の位置決めフックである。
【図１７ｂ】図１７ａの面Ａでの、ガイド穴を伴わずかつその補正穴および内側筋中での保持のためのノーズを伴う位置決めおよび導入機器の位置決めフックである。
【図１８ａ】正面あるいは前方／後方面での、ガイド穴を伴わずかつその補正穴および内側筋中での保持のためのノーズを伴う位置決めおよび導入機器の位置決めフックである。
【図１８ｂ】図１８ａの面Ａでの、ガイド穴を伴わずかつその補正穴および内側筋中での保持のためのノーズを伴うおよび導入機器の位置決めフックである。
【図１９ａ】正面あるいは前方／後方面での、ガイド穴を伴わずかつその（補助的）補正穴および内側筋中での保持のためのノーズを伴う位置決めおよび導入機器の位置決めフックである。
【図１９ｂ】図１５ａの面Ａでの、ガイド穴を伴わずかつその（補助的）補正穴および内側筋中での保持のためのノーズを伴う位置決めおよび導入機器の位置決めフックである。
【符号の説明】
【００３５】
１  位置決めおよび導入機器、２  ガイドチューブ、３  位置決めフック、４  保持アーム、５  ハンドル、６  ガイド穴、７  前方／後方補正穴、８  内側補正穴、９  後方／前方補正穴、１０  側方補正穴、１１  ノーズ、１２  補助的補正穴、２０  切開穿孔機あるいは切断機、３０  Ｔグリップ、３１  穴掴み、３２  梃子、４０  大腿骨、４１  転子、４２  角度、４３  切開、４４  大腿骨軸、４５  内側筋、５０  ガイドワイヤ、５０ａ  参照ガイドワイヤ、５０ｂ  切開ガイドワイヤ、５０ｂ１  さらなる切開ガイドワイヤ。
【図１】
2007501670.tif 000003
【図２】
2007501670.tif 000004
【図３ａ】
2007501670.tif 000005
【図３ｂ】
2007501670.tif 000006
【図４】
2007501670.tif 000007
【図５】
2007501670.tif 000008
【図６】
2007501670.tif 000009
【図７】
2007501670.tif 000010
【図８】
2007501670.tif 000011
【図９】
2007501670.tif 000012
【図１０】
2007501670.tif 000013
【図１１】
2007501670.tif 000014
【図１２】
2007501670.tif 000015
【図１３】
2007501670.tif 000016
【図１４】
2007501670.tif 000017
【図１５ａ】
2007501670.tif 000018
【図１５ｂ】
2007501670.tif 000019
【図１６ａ】
2007501670.tif 000020
【図１６ｂ】
2007501670.tif 000021
【図１７ａ】
2007501670.tif 000022
【図１７ｂ】
2007501670.tif 000023
【図１８ａ】
2007501670.tif 000024
【図１８ｂ】
2007501670.tif 000025
【図１９ａ】
2007501670.tif 000026
【図１９ｂ】
2007501670.tif 000027
【国際調査報告】
2007501670.tif 000028
2007501670.tif 000029
2007501670.tif 000030
2007501670.tif 000031
2007501670.tif 000032
2007501670.tif 000033
2007501670.tif 000034
2007501670.tif 000035